(57)【要約】【課題】外来雑音が大きい場合でも位相変調されたウォブル信号をより確かに復調する。【解決手段】整数Ｍをウォブル波数としたときに、アドレス情報を１ビットＭウォブルを基本単位として構成し、このアドレス情報をＮＲＺ記録する。また、整数Ｎをウォブル波数とし、前記Ｍが２Ｎであるとき（例えばＭ＝１２、Ｎ＝６）に、アドレス情報の同期検出に用いる同期信号を１ビットＮウォブルを基本単位として構成する。このように構成された同期信号（ビット当たり６ウォブル）がアドレス情報（ビット当たり１２ウォブル）の先頭側に記録される。【選択図】    図１６
2006164514.tif 000002
【特許請求の範囲】
【請求項１】
ウォブルを伴うグルーブが同心状あるいは螺旋状に形成され、物理アドレス情報がグルーブウォブルの位相変調により記録された光ディスクにおいて、整数Ｍをウォブル波数としたときに、前記アドレス情報が１ビットＭウォブルを基本単位として構成され、かつ前記アドレス情報がＮＲＺ記録されるように構成され、さらに、
整数Ｎをウォブル波数とし、前記Ｍが２Ｎであるときに、前記アドレス情報の同期検出に用いる同期信号が１ビットＮウォブルを基本単位として構成され、このような構成の同期信号が前記アドレス情報の先頭側に記録されるように構成され、さらに、
上記の構成によって限定された信号パターンの中で、前記同期信号と、すべてのアドレス情報部の符号及び位相ずれした同期信号に対するハミング距離において最小となる距離が、前記限定された信号パターンの内で最も大きく、かつ同期信号内の位相変化回数が最小となるパターンでもって、前記同期信号が構成された光ディスク。
【請求項２】
ウォブルを伴うグルーブが同心状あるいは螺旋状に形成され、物理アドレス情報がグルーブウォブルの位相変調により記録された光ディスクにおいて、整数Ｍをウォブル波数としたときに、前記アドレス情報が１ビットＭウォブルを基本単位として構成され、かつ前記アドレス情報がＮＲＺ記録されるように構成され、さらに、
整数Ｎをウォブル波数とし、前記Ｍが２Ｎであるときに、前記アドレス情報の同期検出に用いる同期信号が１ビットＮウォブルを基本単位として構成され、このような構成の同期信号が前記アドレス情報の先頭側に記録されるように構成され、さらに、
上記の構成によって限定された信号パターンの中で、前記同期信号と、すべてのアドレス情報部の符号及び位相ずれした同期信号に対するハミング距離において最小となる距離が、前記限定された信号パターンの内で最も大きく、もしくは次に大きく、かつ同期信号内の位相変化回数が最小となるパターンでもって、前記同期信号が構成された請求項２に記載の光ディスク。
【請求項３】
請求項１または請求項２に記載の光ディスクを用いる装置であって、前記同期信号を検出するための専用検出回路を搭載して構成された光ディスク記録再生装置。
【請求項４】
請求項１または請求項２に記載の光ディスクを用いて、情報の記録再生をするように構成された光ディスク記録再生装置。
【請求項５】
請求項１または請求項２に記載の光ディスクの製造に用いるマスタリング装置。
【請求項６】
請求項１または請求項２に記載の光ディスクを回転駆動し、この光ディスクから前記アドレス情報を再生する光ディスク再生方法。
【発明の詳細な説明】
【技術分野】
【０００１】
この発明は、ウォブルトラックを持つ光ディスクおよびこの光ディスクを用いる装置（記録再生装置、マスタリング装置等）と方法（再生方法等）に関する。
【背景技術】
【０００２】
周知のように、近年では、情報の高密度記録が可能な光ディスクとして、片面1層容量が４．７ＧＢを有する光ディスクが実用化されている。例えば、再生専用の光ディスクとしてDVD-ROM、書き換え可能な光ディスクとしてDVD-RAM、DVD-RW、DVD＋RW等がある。また、追記可能な光ディスクとしてDVD-Rがある。
【０００３】
これらの光ディスクでは、透明基板上に情報記録層が形成され、レーザ光をこれに集光することで、情報の記録再生を行っている。また、書き換え可能な光ディスクに対する情報の記録再生手段として、この光ディスクの情報記録層はグルーブと呼ばれる案内溝を有している。書き換え可能な光ディスクに対する情報の記録再生は、この案内溝に沿って行われる。さらに、この光ディスクには、情報を記録再生する空間的な位置を特定するための物理アドレスが形成されている。
【０００４】
上記物理アドレスの形成手段としては、DVD-RAMにおいてはプリピットと呼ばれる基板の断続的な凹凸が用いられている。これに対し+RWでは案内溝を半径方向に小さく振動させるグルーブウォブルの変調（以下ウォブル変調という）を利用している。ウォブル変調による物理アドレスは、（前記プリピットのように）記録トラックを遮断しないことから、ユーザ情報を記録する面積が広く（すなわちフォーマット効率が高い）、再生専用メディアとの互換がとりやすいといった利点を持っている。
【０００５】
ウォブル変調により物理アドレスを形成する公知例としては、特許文献１がある。この特許文献１では、ウォブル位相変調により物理アドレスを形成しており、１アドレスビットは、４ウォブルの変調ユニットと、３８ウォブルのモノトーンユニットから構成されている。具体的には＋９０度の変調を＋、−９０度の変調を−とした場合、++--で変調されたウォブルと+++...+++のモノトーンウォブルとで“０”を表現し、--++で変調されたlウォブルと+++...+++のモノトーンウォブルとで“１”を表現している。またアドレスを読み取るにはアドレス開始位置を知る必要があり、そのための同期信号もアドレスビットと同様の４２ウォブルで１ビットを構成している。
【特許文献１】特開２００２−２７９６４５号公報（図４〜図５；段落００２９〜００３０）
【発明の開示】
【発明が解決しようとする課題】
【０００６】
位相変調されたウォブル信号を復調する際には、ウォブル信号以外の外乱雑音による影響を減らすために、バンドパスフィルタ等で帯域を制限する必要がある。しかしウォブル信号が位相変調されている場合、位相変化点においてはウォブル信号の周波数帯域と異なる帯域の周波数が存在する。このため、バンドパスフィルタを通過したウォブル信号の位相変化点（ウォブル信号周波数より高い周波数成分を持つ）では、フィルタ特性によって振幅の減衰が生ずる。この振幅の減衰は復調の際に外乱となる。
【０００７】
よって、より確かに復調をおこなうには位相変化点がなるべく起こらないように変調をするのが望ましい。しかしながら従来のウォブル位相変調によって物理アドレスを記録する方式では、アドレスの符号を表現するために１アドレスビット内で複数回、ウォブルの位相反転をしている。このような変調方法を用いた場合、トラックピッチ狭帯化などによって外来雑音が増えた時、復調誤りをおこす確率が高くなる。
【０００８】
この発明は上記事情を考慮してなされたもので、外来雑音が大きい場合でも位相変調されたウォブル信号をより確かに復調でき、書き換え可能な（あるいは追記可能な）光ディスクのアドレス情報および／または同期信号の記録再生に適したウォブル変調方法を提供するものである。そして、この発明の目的は、この変調方法を利用した、光ディスクおよびこの光ディスクを用いる装置と方法を提供することである。
【課題を解決するための手段】
【０００９】
この発明に係るウォブル変調方法では、整数Ｍをウォブル波数としたときに、アドレス情報を１ビットＭウォブルを基本単位として構成し、かつ前記アドレス情報をＮＲＺ記録するようにしている。そして、この発明に係る光ディスクでは、このような方法で前記アドレス情報が記録されるようになっている。
【００１０】
また、整数Ｎをウォブル波数とし、前記Ｍが２Ｎであるときに、前記アドレス情報の同期検出に用いる同期信号を１ビットＮウォブルを基本単位として構成している。そして、この発明に係る光ディスクでは、このような方法で構成された前記同期信号が前記アドレス情報の先頭側に記録されるようになっている。
【００１１】
ここで、前記アドレス情報に存在しない符号として、０または１が奇数回連続する符号が、前記同期信号に含まれるように構成できる。
【００１２】
なお、上記光ディスクを再生する装置にあっては、前記同期信号を検出するための専用検出回路を搭載して構成できる。
【発明の効果】
【００１３】
上記のような構成によれば、ウォブル変調（位相変調）されたアドレス情報あるいは同期信号の復調過程において不可避的に生じる位相反転の回数が従来よりも小さくできるので、外来雑音が大きい場合でも（この発明を用いない場合との比較の上で）より確かに位相変調されたウォブル信号を復調できる。
【００１４】
従い、この発明に係る方法でウォブル変調された同期信号／アドレス情報が記録された光ディスクを用いれば、記録密度が高くなることで相対的に外来雑音の影響を受けやすくなっても、より確実に物理アドレスを検出できる書き換え可能な（あるいは追記可能な）光ディスクが得られる。また、このような光ディスクを用いる装置では、同期信号／アドレス情報の誤検出を少なくできる。
【発明を実施するための最良の形態】
【００１５】
以下、この発明の実施の形態について図面を参照して詳細に説明する。
【００１６】
［光ディスク装置の基本的な説明］
図１はこの発明の一実施の形態に係る光ディスク装置（記録再生装置）の構成例を説明するブロック図である。この装置に光ディスク１０が装填されると、アクチュエータ２０の作用によって、光ディスク１０の記録面上の所定位置に光ヘッド（図示せず）が移動できるようになっている。この装置では、光ヘッドから出射されるレーザ光を光ディスク１０の情報記録層に集光することで、情報の記録再生を行っている。
【００１７】
具体的には、光ディスク１０で反射したレーザ光は、再び光ヘッドの光学系（図示せず）を通過し、フォトディテクタ（ＰＤ）３０で電気信号として検出される。ＰＤ３０の受光面は2分割以上に分割されており、各受光素子の検知電圧値を加算した信号は和信号ＳＳとなり、それらを減算した信号は差信号ＤＳとなる。ユーザ情報等の高周波情報が付加された和信号ＳＳは、特に、ＲＦ信号と呼ばれる。また、光ディスク１０に対して光学的に半径方向に配置された各受光素子の検知電圧値を減算した信号は、ラジアルプッシュプル信号と呼ばれる。
【００１８】
ＰＤ３０からの各信号はプリアンプ４０で適宜増幅されて、サーボ回路５０、ＲＦ信号処理回路６０、およびアドレス信号処理回路７０に送られる。アドレス信号処理回路７０では、 ＰＤ３０で検出された信号を処理することにより、光ディスク１０上の記録位置を示す物理アドレス情報を読み出し、コントローラ１００に出力する。コントローラ１００は、このアドレス情報を元に、所望の位置の情報（ユーザ情報等）を読み出したり、所望の位置に情報（ユーザ情報等）を記録したりする管理を行なう。
【００１９】
サーボ回路５０は、光ヘッドが光ディスク１０の所望のトラック上を正確にトレースするように、プリアンプ４０からの和信号ＳＳおよび差信号ＤＳを適宜用いて、アクチュエータ２０を介してサーボ制御（トラッキングサーボ、フォーカスサーボ等）を行なう。このサーボ制御はコントローラ１００の管理下で行われる。このサーボ制御により光ヘッドが光ディスク１０の所望のトラック上を正確にトレースしているとき（再生時）に得られるＲＦ信号（和信号ＳＳ）は、コントローラ１００の管理下でＲＦ信号処理回路６０内で処理され、光ディスク１０に記録されたユーザ情報等が取り出される。
【００２０】
一方、このサーボ制御により光ヘッドが光ディスク１０の所望のトラック上を正確にトレースしているときに得られるラジアルプッシュプル信号（差信号ＤＳ ）は、コントローラ１００の管理下でアドレス信号処理回路７０内で処理され、光ディスク１０に記録された物理アドレス情報等が取り出される。この物理アドレス情報は、今ビームスポットが記録面の何処にいるかを示すもので、再生時のみならず、光ディスク１０のどこから情報記録を行なうかを決定するとき（記録時）にも用いられる。この物理アドレス情報からビームスポット位置が特定されれば、コントローラ１００はサーボ回路５０に光ヘッドが移動すべき位置（記録開始位置）を通知し、さらに記録信号処理回路８０を介してレーザダイオード（ＬＤＤ）９０を駆動する。ＬＤＤ９０からのレーザパルス光は、サーボ制御されている光ヘッドの光学系を介して、光ディスク１０の所定位置（記録すべき物理アドレスに対応）をレーザ照射する。こうして、光ディスク１０への記録が行われる。
【００２１】
図２は、図１のフォトディテクタ３０の具体例を示す。ここでは、ＰＤ３０として、受光面３０１が４分割されたフォトディテクタ（ＰＤ）を例示している。４分割受光面のうち第１および第２受光面３０１ａ、３０２ａの検知電圧は加算増幅器３０２で増幅され、４分割受光面のうち第３および第４受光面３０３ａ、３０４ａの検知電圧は加算増幅器３０３で増幅される。増幅器３０２および３０３の出力は加算増幅器３０４でさらに増幅されて和信号ＳＳとなり、増幅器３０２および３０３の出力は減算増幅器３０５で差動増幅されて差信号ＤＳとなる。すなわち、この例では、4分割ＰＤ３０の4つの受光素子すべての検知電圧を加算した信号が和信号ＳＳとなり、２つの受光素子を加算した後に加算信号同士を減算した結果が差信号ＤＳとなっている。このように検出された電気信号（和信号ＳＳと差信号ＤＳ）は、プリアンプ４０で増幅され、サーボ回路５０、ＲＦ信号処理回路６０、アドレス信号処理回路７０に出力される。
【００２２】
［光ディスクとランド・グルーブ記録の説明］
図３は、この発明を適用できる記録再生可能な情報記録媒体としての光ディスク１０の概略構成を説明する図である。この発明の一実施の形態に係る光ディスク１０は、透明基板上に設けられたデータ記録領域ＤＲＡ（情報記録層の情報記録エリア）に、グルーブと呼ばれる案内溝を有している。この案内溝を形成することによりできる凹凸構造はトラックとよばれ、情報の記録再生はこのトラックＴＫに沿って行われる。なお、このトラックＴＫには、図３に示すように内側から外側まで連続してつながる螺旋（スパイラル）型トラックの他に、複数の同心円状トラックから形成される同心円型トラックがある。
【００２３】
図４は、図３の光ディスク１０に形成されたトラックＴＫの拡大部分ＥＰの構造を例示する図である。このトラックは情報記録層の凹凸によって形成されており、片側をグルーブ（Ｇ）、もう一方をランド（Ｌ）呼ぶ。DVD-RAMでは、図４（ａ）に例示されるようなランドＬとグルーブＧの両方に情報を記録マークとして形成している。一方、DVD+RW等では、図４（ｂ）に例示されるようなグルーブＧのみに情報を記録マークとして形成している。この発明は、図４（ａ）（ｂ）のいずれにも適用できる。
【００２４】
［ウォブル信号とプッシュプルの関係の説明］
図５は、例えば図３の光ディスク１０に形成されたトラックＴＫ（振幅Ｗｐｐのウォブルを持つウォブルトラックＷＴが、グルーブトラックＧＴおよびランドトラックＬＴとして設けられている例）上をレーザビームスポットＢＳが走行する状態を説明する図（トラックの上面図）である。この発明の一実施の形態に係る光ディスク１０のトラックは、半径方向にわずかに蛇行している。これをウォブルトラック（ＷＴ）という。このウォブルトラックＷＴに沿って、集光されたビームスポットＢＳを走査していくと、ウォブルの周波数はトラッキングサーボ信号の帯域に比べ高い周波数であるため、ビームスポットＢＳはウォブルトラックの中心をほぼ直進する。このとき、図２の和信号ＳＳはほとんど変化せず、半径方向の差信号ＤＳすなわちラジアルプッシュプル信号のみがウォブルにあわせて変化する。これをウォブル信号と呼ぶ。このウォブル信号は、光ディスク１０を回転駆動するスピンドル（図示せず）の回転周波数の調整（回転サーボ制御）や、記録クロックのリファレンス、物理アドレス情報等に利用される。
【００２５】
図６は、図５に例示されるようなビームスポットＢＳの走行により、例えば図２の構成を持つフォトディテクタ３０から得られる和信号ＳＳおよび差信号ＤＳ（図５のウォブルに対応したラジアルプッシュプル信号）の波形を例示している。
【００２６】
［ウォブル信号の説明］
この発明の一実施の形態に係る光ディスク１０では、上記ウォブル信号を変調することによって、光ディスクの情報記録領域における物理的な位置を示す物理アドレス情報が記録されている。この記録には、２種類の変調方法が利用可能である。すなわち、トラックＴＫに付与するウォブルを、周波数変調または位相変調することによって、物理アドレス情報を記録できる。
【００２７】
図７は、例えば図５のウォブルトラックＷＴ（図３ではトラックＴＫ）が、その記録情報（ビット０、１）に対応して周波数変調（ウォブル変調）されている場合の波形（ウォブル自体の波形）を例示する図である。また、図８は、例えば図５のウォブルトラックＷＴ（図３ではトラックＴＫ）が、その記録情報（ビット０、１）に対応して位相変調（ウォブル変調）されている場合の波形（ウォブル自体の波形）を例示する図である。この発明では、周波数変調でなく位相変調が利用される。
【００２８】
図９は、例えば図３の光ディスク１０のデータ記録領域ＤＲＡの構成（セグメント化されたトラックＴＫを持つ光ディスクの情報記録領域）を例示する図である。この発明の一実施の形態に係る光ディスク１０では、データ記録領域ＤＲＡ（情報記録領域）の物理的な位置を特定するために、図９に示すように、トラック番号（Ｔｋｍ）とセグメント番号（ＳＧｎ）を利用している。ここでは、トラックＴＫに順番にトラック番号（Ｔｋｍ−１、 Ｔｋｍ、 Ｔｋｍ＋１、…）を付けてラジアル方向の位置を特定し、さらにトラックＴＫを複数のセグメントに分割しセグメント番号（ＳＧｎ−１、 ＳＧｎ、 ＳＧｎ＋１、…）を付けることでタンジェンシャル方向の位置を特定することができるような構成を採っている。このとき、例えば一セグメント内のウォブルを変調することで一回もしくは複数回、位置情報であるアドレス情報を記録することができる。
【００２９】
図１０は、例えば図８のウォブル変調によりウォブルトラックＷＴに記録される同期信号ＳＹＮＣおよびアドレス情報ＡＩの構成を例示している（この例では図９の各セグメントＳＧに対応）。アドレス再生をする際には、アドレス情報ＡＩの開始位置を知るために同期信号ＳＹＮＣが必要となる。図１０における同期信号ＳＹＮＣは、アドレス情報ＡＩを再生する際のタイミング生成等に用いられるものである。
【００３０】
なお、図１０の構成において、同期信号ＳＹＮＣとアドレス情報ＡＩの配置関係は図示の通りとするが、アドレス情報ＡＩ内の情報（セグメント番号ＳＧＮ、トラック番号ＴＫＮ、その他の情報ＯＩ）の配置は、図示に限られず、適宜変更可能である。
【００３１】
［位相復調方法の説明］
図１１は、例えば図８（あるいは図１４、図１６）のように位相変調されたウォブル信号からその記録情報を復調する復調回路の一例を説明する図である。ここでの記録情報は、図１０の同期信号ＳＹＮＣを検出することで再生タイミング（先頭位置）が求まるアドレス情報ＡＩに対応した、ビット０、１の列に相当している。この発明の一実施の形態に係る光ディスク１０に記録された物理アドレス情報は、例えば図１１のように構成された復調回路を用いることで、読み取ることが可能になる。
【００３２】
図１１の復調回路に入力されるウォブル信号には媒体（光ディスク１０）固有の雑音や、隣接トラックからのクロストークによる雑音などが含まれている。そこで、入力されたウォブル信号の周波数帯域以外の雑音を、バンドパスフィルタ（ＢＰＦ）７１０等を介して取り除く。雑音除去されたウォブル信号は、搬送波を生成するためにフェイズロックドループ回路（ＰＬＬ）７１２に入力される。ＰＬＬ７１２からは、搬送波（Carrier；図１２（ｂ）のＳ２に対応）と、この搬送波に同期する（タイミングが一致する）ように遅延されたウォブル信号（Delayed Signal；図１２（ａ）のＳ１に対応）が出力される。これらの搬送波（Ｓ２）と遅延されたウォブル信号（Ｓ１）は乗算器７１４で乗算される。その乗算結果（図１２（ｃ）のＳ１×Ｓ２に対応）のレベル変化（エンベロープの立ち上がりあるいは立ち下がり）から、ウォブル信号（Ｓ１）の位相変化点が分かる。すなわち、位相変調された信号を復調する場合において、変調信号と搬送波の乗算によって、位相の極性判別ができる。
【００３３】
図１２は、例えば図１１の復調回路に与えられたウォブル信号Ｓ１とウォブルの搬送波Ｓ２との積から得られるウォブルの位相変化点（アドレスデータを得るための積分タイミング等を示す情報となる）を示す信号波形を説明する図である（ウォブル信号Ｓ１は搬送波Ｓ２とのタイミング合わせのために適宜遅延されている）。
【００３４】
乗算器７１４で乗算後の波形（Ｓ１×Ｓ２）は、図１２（ａ）（ｃ）に示すように、ウォブル信号Ｓ１の第１位相と第２位相との間でオフセットされた形で検波される。よって、ローパスフィルタ（ＬＰＦ）７１６等を用いて乗算後波形（Ｓ１×Ｓ２）から高周波成分を除いた波形（乗算後波形Ｓ１×Ｓ２のエンベロープに対応）より閾値検出を行う（もしくは直接積分検出を行なう）ことで、アドレスデータの復号が可能となる。
【００３５】
図１１の構成では、高周波成分が除かれた乗算後波形（Ｓ１×Ｓ２）から、スライサ７１８により、ウォブル信号の位相変化タイミング（乗算後波形Ｓ１×Ｓ２のエンベロープ変化点に対応）を示す波形を取り出し、それをクロック生成器７２０にフィードバックしている。クロック生成器７２０は、スライサ７１８からの波形に基づきクロック生成タイミング（どの時点からどの時点までクロックを生成すべきか）を検知し、ＰＬＬ７１２からの搬送波Ｓ２（ＰＬＬ動作によりジッタが抑えられている）を用いて、所定のタイミングで積分用クロックを生成する。この積分用クロックおよび乗算器７１４からの乗算結果（Ｓ１×Ｓ２）を積分器７２２に与えることで、ウォブル信号に含まれたアドレスデータを復調している（クロックタイミングで乗算結果を積分することで、図１２（ａ）の第１位相または第２位相に対応した１または０を復調する）。
【００３６】
［位相変化点における振幅減衰の説明］
ここで、位相変化点における振幅減衰について説明する。図１３は、例えば図１１の復調回路に与えられたウォブル信号Ｓ１とウォブルの搬送波Ｓ２との積から得られるウォブルの位相変化点を示す信号波形が、ＢＰＦを通ることにより曖昧になる（波形がなまる）様子を説明する図である。この波形がなまった部分のエンベロープレベル変化ポイントは、ウォブル信号に含まれるノイズやジッタの影響でふらつき易く、アドレス検知精度を低下させる原因の１つとなる。
【００３７】
前述したとおり、位相変調されたウォブル信号を復調する際には、ウォブル信号以外の外乱雑音による影響を減らすために、バンドパスフィルタ等で帯域を制限する必要がある。しかし、ウォブル信号が位相変調されている場合、位相変化点においてはウォブル信号の周波数帯域と異なる帯域の周波数が存在する（例えば７００ｋＨｚのウォブル周波数に対して位相変化点では１．４ＭＨｚの周波数成分が生じる）。このため、バンドパスフィルタを通過したウォブル信号の位相変化点では、フィルタ特性によって、図１３（ｂ）に例示されるような振幅の減衰が生ずる。この振幅減衰が生じると、ウォブル信号を搬送波と乗算した際に符号の境界が曖昧になる。すると、外来雑音が増加した際に符号誤りが起こりやすい等の悪影響を及ぼす。よって、より確かに復調をおこなうには位相変化点がなるべく起こらないように変調をするのが望ましい。
【００３８】
そこで、この発明では、「上記位相変化点がなるべく起こらないように変調をする」ことに主眼をおいている。
【００３９】
［変調方法の説明］
上記の問題（外来雑音が増加した際に符号誤りが起こりやすい等の悪影響）を解決するための変調方法の例を、以下で説明する。
【００４０】
図１４は、位相変調されたウォブル信号からその記録情報（ビット０、１の列）を復調する際に、図１３の（ｃ）に例示されるように位相変化点でなまった信号波形の発生頻度を減らすべく、ウォブル記録にノン・リターン・ツー・ゼロ（ＮＲＺ）記録を用いた場合の、ウォブル信号波形を例示する図である（この図の（ｂ）では“01101110”が記録された際に“11”のビット間および“111”のビット間で位相反転が起きていない様子を例示している）。
【００４１】
図１４の例では、１２波を１ビット単位とした場合を示している。すなわち、図１４の例では、第１位相のウォブル信号が１２波分続くと1の符合となり、第２位相のウォブル信号が１２波分続くと0となるように変調している。これは１２波を１単位としたＮＲＺ記録に対応する。
【００４２】
ＮＲＺ記録とは、ビット情報１、０をそのまま２つの状態（ここでは第１位相、第２位相）に対応させて記録する方法である。ＮＲＺ記録では、１ビット内での状態変化がないため、位相変化点が最も少ない記録方法の1つだと認められる。すなわち、この発明の主眼である「位相変化点がなるべく起こらないように変調をする」ことは、 ＮＲＺ記録を利用することで達成できる。
【００４３】
図１４の例では１２波を１ビット単位としてあげたが、波数は記録したいアドレス情報量やウォブル信号のS/N比（ウォブル信号電力と雑音電力の比）とに応じて変わる。記録したいアドレス情報量が多くなれば１ビットあたりの波数は少なくなるし、雑音電力が多い光ディスクの系では波数を多くする必要がある。この場合でもＮＲＺ記録を用いることが可能である。
【００４４】
図１５は、ウォブル記録にＮＲＺ記録を用いた場合と、その記録にBi-phase記録を用いた場合とで、エラーレートがどのくらい違うかの一例（ＮＲＺ記録によって位相変調されたウォブル信号とBi-phase記録によって位相変調されたウォブル信号の復調誤り率の比較例）を示す図である。ここで、Bi-phase記録とは、第１位相を“＋”、第２位相を“−”とした時に、符号0を“+-”で変調したウォブルによって表現し、符号1を“-+”で変調したウォブルによって表現する記録方法である。図１５における横軸は１アドレスビットを表現するのに用いたウォブル波数であり、例えば８wobble/simbolの時、ＮＲＺ記録は++++++++を１、--------を０で記録したことを意味し、Bi-phase記録では----++++を１、++++----を０で記録したことを意味している。
【００４５】
図１５より、１ビットを表現するウォブル波数が多くなるほど復調誤り率は良好となる。またＮＲＺ記録とBi-phase記録を比較した場合、ＮＲＺ記録のほうが復調誤り率は良好である。以上のことから位相変化回数が少ない（位相反転間隔が広い）場合ほど復調誤り率は良好となる。
【００４６】
またウォブル１波当たりの長さも重要な要素の1つである。ウォブル信号は、アドレス情報の記録の他に、ユーザデータをマークスペースで記録するためのライトクロックの生成にも用いられる。このため、１波当たりの長さがユーザビット長に比べてあまりに長くなりすぎると、ライトクロックのジッタが大きくなり正しく記録ができなくなる。一方、１波当たりの長さが短くなりすぎると、自己及び隣接トラックに記録されたユーザデータの周波数帯域に近づいてしまうので、雑音電力が大きくなる。このためユーザデータを記録するチャネル周波数の１／３０〜１／２００程度の周波数でウォブルを記録するのが望ましい。例えばチャネル周波数が６４．８ＭＨｚであるときのウォブル周波数は７００ｋＨｚ程度がよい。
【００４７】
［同期信号の説明］
図１０に示したように、アドレス情報を読み取る際はアドレス情報の開始位置を知るために同期用の信号を記録しておく必要がある。この同期信号は、アドレス情報開始位置の誤検出を防ぐため、アドレス情報部に記録されていないパターンで変調する必要がある。つまり、アドレス情報がＮＲＺ記録されている場合、符号のラン長を制限し（ランレングスリミテッド：ＲＬＬ）、アドレス情報部の最長パターンより長い連続符号を含むように同期信号を構成するか、もしくは最短パターンより短い連続符号を含むように同期信号を構成する必要がある。ここで、ラン長制限とは、記録されるビットにおいて、同符号が連続する回数を制限することである。例えば（１、２）ＲＬＬといえば、最短連続数が２回、最長連続数が３回までに制限されたもののことをいう。具体的には、（１、２）ＲＬＬでは、00、11、000、111のみを取り得ることになる。ラン長制限は、一般に、実際に記録したいビット列に対して「何ビットかの冗長ビット」を設け、変調テーブルを用意することで実現できる。
【００４８】
［同期信号の例］
（ａ）最短連続数がＲＬＬされたＮＲＺでアドレス情報が記録されている場合
最短連続数がＲＬＬされたＮＲＺでアドレス情報が記録されている場合、アドレス情報部での最短連続数より少ない連続符号を含むように同期信号を構成する。例えば（２、∞）でラン長制限されている場合、アドレス情報部にはありえない、010、101、0110、1001等の符号によって同期信号を構成する。具体的には同期信号用に用意された符号長が5ビットのとき、010101、10101、01100、10010のように「アドレス情報部にないパターン」を最低1回入れる必要がある。
【００４９】
（ｂ）最長連続数がＲＬＬされたＮＲＺでアドレス情報が記録されている場合
最長連続数がＲＬＬされたＮＲＺでアドレス情報が記録されている場合、アドレス情報部での最長連続数より長い連続符号を含むように同期信号を構成する。例えば（０、４）でラン長制限されている場合、アドレス情報部にはありえない、01111110、10000001、等の符号によって同期信号を構成し、この場合もアドレス情報部にないパターンを最低1回入れる必要がある。
【００５０】
（ｃ）ＲＬＬされていないＮＲＺでアドレス情報が記録されている場合
アドレス情報の符号がＲＬＬされていない場合、記録符号の連続数としては1〜無限大までの値をとり得る。このためアドレス情報部と同じ単位で１ビットあたりの波数を規定した場合、アドレス情報部の一部を同期信号として誤検出する可能性がある。そこでこの発明の一実施の形態では、アドレス情報の符号がＲＬＬされていない場合は、アドレス情報部と異なる波数で、同期信号部の符号を構成するようにしている。
【００５１】
具体的には、図１６に例示されるように、アドレス情報部の波数の１／２を１ビット単位として、同期信号部の符号を構成する。例えばアドレス情報部の波数を１ビット１２波とした場合、同期信号部の１ビットは６波となる。これは、同期信号部を基準単位としてみると、アドレス情報部では11を1として検出し、00を0として検出することと同意である。
【００５２】
上記方法を用いると、アドレス記録のために変調テーブルを持たずともＲＬＬを採用した場合と同様の効果が得られる。ただし、この方法を用いた場合、同期信号部の１ビット単位の波数がアドレス情報部の１／２となるため、復調誤り率の悪化が考えられる。よって同期信号部のビット桁はある程度多いほうがよい。具体的には同期信号部のビット単位で１０ビット（アドレス情報部の単位では５ビット）以上が望ましい。
【００５３】
例えば、位相変調されていない単一ウォブル信号が、１０ｋＨｚのレゾリューションバンド幅で測定されたＣ／Ｎ比（Carrier-to-Noise ratio）で３０ｄＢ以下の場合、アドレス情報部１ビットの波数を１２波、同期信号部１ビットの波数を６波、同期信号の桁数は同期信号部のビット単位で２０ビットほど割り当てるのがよい。上記の変調方法及び同期信号部の構成手段によって、アドレス情報部の復調誤り率を良好に、また同期信号部ではビット桁をある程度確保することで同期信号の検出率を良好にすることが可能となる。
【００５４】
別の言い方をすると、図１６では、位相変調を用いたウォブル記録にＮＲＺ記録を利用する場合において、例えば図１０のアドレス情報部で符号１ビット当たりに用いているウォブル波数（この例では１２波）の１／２のウォブル波数（この例では６波）を、図１０の同期信号部の符号１ビット当たりに割り当てることで、アドレス情報部と同期信号部との識別をより確実にしている。
【００５５】
以下に上記の方法を用いた同期信号の例を示す。
【００５６】
［符号反転回数が多い同期信号例］
同期信号には、アドレス情報部と区別をするためアドレス情報部にありえないパターンをより多く含ませる必要がある。そうするとアドレス情報部は11、00を基本単位として情報が記録されているので、これにない010、101のパターンをより多く含ませるのが望ましい。ただし、位相復調をおこなうシステムによっては、ＰＬＬから出力される搬送波の位相が第１位相もしくは第２位相のどちらにロックされているかわからない場合がある。
【００５７】
例えば２値位相変調された信号は、2逓倍してやることで位相変調されていない信号を生成することが可能である。ＰＬＬがウォブル信号の2逓倍信号を元に位相ループを構成している場合、ＰＬＬは位相変調を意識せず搬送波を出力する。よって、このとき位相の極性を同期信号から判断する必要が出てくるため、例えば0101010101のみで同期信号を構成した場合、極性と同期信号の誤検出が生じる恐れがある。このため、同期信号内には、極性識別のため、1回以上、ラン長が1以上の符号を入れてやるのがよい。例えば0101001010、0101000101、0101001101等である。
【００５８】
［符号反転回数が少ない同期信号例］
前述したように、同期信号部はアドレス信号部と同ようにウォブルの位相変調によって、符号を記録している。また位相変化点では復調処理の際、振幅が減衰してしまうことも言及した。同期信号部では、アドレス情報部の半波数によって位相変調されているので、位相変化回数が多くなる。このため同期信号を構成する際にはアドレス情報部にないパターンで、なるべく位相変化回数の少ないものを入れるのが望ましい。具体的には10001、01110、1000001、0111110等であるが、アドレス情報部には00、0000等のパターンが存在する。前述のパターンと比較すると両者の差異は半波数分しかないため、符号間の距離が近くなってしまう。よって、位相変化回数を少なくかつ同期信号のビット数をできるだけ無駄にしないためには、10001、01110を含むように同期信号を構成するのがよい。具体的には0101110101、0100010101等である。
【００５９】
［ハミング距離が最大かつ位相変化回数が最小となる同期信号例］
ハミング距離（Ｈ[X,Y]）とは符号間距離のことであり、例えばＡ＝（0,0,0）、Ｂ＝（0,1,0）とした時Ｈ[A,B]＝１となり、Ａ＝（0,1,0）、Ｂ＝（1,0,1）とした時Ｈ[A,B]＝３となる。一般にハミング距離が大きな符号間ほど検出誤りはおこりにくい。そのため同期信号は、すべてのアドレス情報部の符号、及び位相ずれした同期信号に対するハミング距離が最大となるようなパターンで構成されるのがよい。
【００６０】
上記のハミング距離が最大となる条件で選択されたパターンは複数存在する。このためパターンを更に絞り込むため、選択されたパターンの中から位相変化回数が最も少ないものを選ぶ（その方法は図２１を参照して別途説明する）。これは、前述したように位相変化回数が少ないほうが復調誤り率がよいためである。上記のようにして選択されたパターンは、アドレス情報部の符号及び位相ずれ同期信号に対し、符号間距離が最大で、かつ復調誤り率（同期信号検出率）がよいという特性を持つ。
【００６１】
［ハミング距離が最大もしくは次に大きくかつ位相変化回数が最小となる同期信号例］
上述した同期信号のほかに、以下の同期信号を用いるのもよい。同期信号と、すべてのアドレス情報部の符号及び位相ずれした同期信号に対するハミング距離が、最大もしくは次に大きいパターンを選択する。そうして得られたパターンの中から位相変化回数が最も少ないパターンを選択することで、同期信号パターンを選ぶ方法である。この方法によって選ばれたパターンはハミング距離は最大でない可能性があるものの、位相変化点がより少ないパターンを選ぶことは可能であり、結果として同期信号の検出率が向上する。
【００６２】
［位相変化回数を重視した同期信号］
上述したように、同期信号は、すべてのアドレス情報部の符号及び位相ずれした同期信号に対するハミング距離が大きいものを選択するのが一般的に望ましい。しかし位相変調の場合、位相変化回数が少ないほうが検出率が良好となるため、ハミング距離より位相変化回数をより重視したほうが同期信号の検出率が良い場合がある。このため、１つの考え方として、同期信号内の最大反転回数を同期信号ビット桁ＢＤの３分の１以下に抑えるのが望ましい。
【００６３】
［同期信号及びアドレス情報検出の例］
図１７は、例えば図１６（あるいは図８、図１４）のように位相変調されたウォブル信号からその記録情報を復調する復調回路の他例を説明する図である。ここでの記録情報は、図１０の同期信号ＳＹＮＣを検出することで再生タイミング（先頭位置）が求まるアドレス情報ＡＩに対応した、ビット０、１の列に相当している。
【００６４】
図１７の復調回路は、図１１の復調回路における積分器７２２をアドレス検出器７３０に置換した構成を持っている。すなわち、図１７の構成では、ウォブル信号を搬送波との乗算によって位相検波した信号（乗算器７１４の出力）が、アドレス検出器７３０に入力されている。このアドレス検出器７３０は、図１８に示すように構成できる。すなわち、位相検波後の信号（乗算器７１４の出力）は、クロック生成器７２０から受け取ったタイミング信号（クロック）に基づいて、積分器７３００により積分される。積分された信号は、２値復号のためスライサ７３１０へ入力されるとともに、同期信号検出器７３２０にも入力される。アドレスデータ制御器７３３０は、同期信号検出器７３２０からの同期信号検出結果とスライサ７３１０で２値化された信号を受け取り、アドレス情報の制御をおこなうため、その出力を例えば図１のコントローラ１００に送出する。具体的には、アドレスデータ制御器７３３０は、ライト、ＲＦ信号リード、サーボ等に必要な制御信号を、コントローラ１００に受け渡す。
【００６５】
図１９は、図１８の同期信号検出器７３２０の具体例（マッチドフィルタ）を説明する図である。同期信号の検出方法としては、積分器の出力を（スライサ等で）２値化した結果と、用意されたパターンとを比較して行なう方法がある。この方法の他に、図１９に示すようなマッチドフィルタを用いる方法がある。すなわち、積分結果（積分器７３００の出力）を図１９に示すようなマッチドフィルタ等を介して２値化することで、同期信号を検出する方法も考えられる。この方法を用いた場合、積分出力を単純に２値化するのに比べて、より確かに検出ができる。
【００６６】
なお、図１９の構成では、遅延器（１／Ｚ）７３２１ａ〜７３２１ｊは、検出しようとする同期信号のビットパターンに同期したクロック１つ分の遅延を行なうものである。遅延器により１クロックづつ遅延されたビットを反転器７３２２ａ、７３２２ｃ、７３２２ｆ、７３２２ｇ、７３２２ｉで反転したビットと、非反転器７３２２ｂ、７３２２ｄ、７３２２ｅ、７３２２ｈ、７３２２ｊでそのまま通過させたビットが、加算器７３２３でビット加算される。その結果、積分器７３００からの積分出力が“0101100101”の同期信号パターンを持つときにのみ“１”となる出力が加算器７３２３からスライサ７３２４に送出される。すると、綺麗な２値化信号波形を持つ（同期信号の）検出結果が、図１８のアドレスデータ制御器７３３０に与えられる。
【００６７】
［同期信号及びアドレス情報記録用のウォブル位相変調器の説明］
図２０は、図１０の同期信号およびアドレス情報を記録する際に用いるウォブル位相変調器の一例（図３または図９の光ディスクを製造するのに用いるマスタリング装置の要部）を説明する図である。図２０において、搬送波入力とは、記録対象のウォブル周波数（ｆ）に応じて入力されるSin波のことである。またベースバンドパルス入力とは、記録した同期信号及びアドレス情報に応じて入力される電圧値である（図２０（ｂ）は、“01101001110”を記録する場合のベースバンドパルス入力波形を例示している）。
【００６８】
図２０の位相変調器に入力された搬送波は、サーキュレータ（Ｃｒ）１０００によって、ハイパスフィルタ（ＨＰＦ）１００２を介してダイオード（Ｄ）１００４まで導かれてそこで反射し、再びサーキュレータ１０００で２−ＰＳＫ出力端子に到達するか、ダイオード１００４を超えて反射板で反射して出力端子に導かれるかの、２つの状態を取る。この状態の選択は、ローパスフィルタ（ＬＰＦ）１００６を介してダイオード１００４に加わえられる電圧、すなわちベースバンドパルス（図２０（ｂ））の電圧に依存する。ベースバンドパルスが正の電圧であればダイオード１００４は導通となり、搬送波はここで反射する。バースバンドパルスが負の電圧であればダイオード１００４は非導通となり、搬送波は反射板まで通過した後、反射する。ダイオード１００４と反射板との往復の経路（Ｌ）が搬送波の位相πに相当していれば、２−ＰＳＫの変調波が得られる。
【００６９】
光ディスク１０のマスタリングにおいて、位相変調されたグルーブウォブルを形成する際は、図２０の変調波出力を用いることができる。例えば、同期信号部において１ビットあたりのウォブル波数が６のとき、搬送波６波毎に同期信号の符号パターンに応じてベースバンドパルスを切り替え、また、アドレス情報部において１ビットあたりのウォブル波数が１２のとき、搬送波１２波ごとにアドレス情報の符号パターンに応じてベースバンドパルスを切り替える。このようにして、位相変調され情報（図１６等）が記録されたグルーブウォブルを、光ディスク１０に形成することが可能となる。
【００７０】
［ハミング距離及び位相変化回数を用いた同期信号生成の説明］
以下、ハミング距離及び位相変化回数を用いた同期信号生成方法について説明する。図２１は、ハミング距離および位相変化回数に応じた同期信号パターン選択方法の一例を説明するフローチャートである。前述した同期信号生成は、同期信号の桁数を決定した後、図２１に記載したフローチャートに従って行うことができる。
【００７１】
同期信号の桁数を例えば１０ビットとしたとき、同期信号のパターンとしては２の１０乗通りのものが考えられる。同期信号生成部分ではこれらすべてのパターンの生成をする（ステップＳＴ１０）。次に同期信号の桁数に応じて、アドレス情報部において存在し得るすべてのパターン及び同期信号位相ずれパターンにおいても存在し得るすべてのパターンを生成する（ステップＳＴ１２）。前者は、アドレス情報においては11もしくは00を基本単位としているため、パターンの数は２の９乗通りのものが考えられる。後者は、アドレス情報部におけるすべてのパターンが同期信号に隣接している場合が考えられる。
【００７２】
次に、生成された同期信号と、前記アドレス情報部、位相ずれのパターンとのハミング距離を計算する（ステップＳＴ１４）。計算されたハミング距離は距離メモリに記憶しておく（ステップＳＴ１６）。
【００７３】
次にアドレス情報部及び位相ずれパターンのすべてが生成されているかの判定を行なう（ステップＳＴ１８）。すべて生成されていなければ（ステップＳＴ１８ノー）次のパターンを生成し（ステップＳＴ１２）、すべてが生成されていれば（ステップＳＴ１８イエス）、距離メモリ（ステップＳＴ１６）を参照し、最小となるハミング距離を選択する（ステップＳＴ２０）。この最小となるハミング距離は、現候補の同期信号パターンにおいてもっとも誤りやすいパターンとの距離であるので、この距離ができるだけ大きな同期信号を選択するのが望ましい。
【００７４】
ここで、前述した「ハミング距離が最大かつ位相変化回数が最小となる同期信号例」における同期信号生成方法を＜方法３＞、前述した「ハミング距離が最大もしくは次に大きくかつ位相変化回数が最小となる同期信号例における」同期信号生成方法を＜方法４＞と略記して、以下に説明を続ける。
【００７５】
例えば＜方法３＞によって同期信号を生成するのならば（ステップＳＴ２２イエス）、現ビット桁において最小ハミング距離が最も大きい同期信号パターンを同期信号パターンメモリに記憶する（ステップＳＴ２４）。
【００７６】
また、＜方法４＞によって同期信号を生成するのならば（ステップＳＴ２２イエス）、現ビット桁において最小ハミング距離が最も大きい同期信号パターン及び次に大きい同期信号パターンを、同期信号パターンメモリに記憶する（ステップＳＴ２４）。
【００７７】
その後、現ビット桁における同期パターンの候補がすべて生成されているか判定をし（ステップＳＴ２２ノーとステップＳＴ２６）、すべて生成されていたら（ステップＳＴ２６イエス）次ステップ（ステップＳＴ２８）へ進み、すべて生成されていなければ（ステップＳＴ２６ノー）、次の同期パターンを生成し（ステップＳＴ１０）、同様の処理をする。
【００７８】
上記「次のステップ」では、同期パターンメモリ（ステップＳＴ２４）を参照しながら、同期パターン内の符号変化回数を計算する（ステップＳＴ２８）。次に、計算された符号変化回数を参照し、最も値の小さい同期信号パターンを選択する（ステップＳＴ３０）。こうして選ばれた同期信号パターンが、＜方法３＞または＜方法４＞に該当するパターンとなる。
【００７９】
［実施の形態に応じた効果］
（１）ウォブルを伴うグルーブが同心状あるいは螺旋状に形成され、物理アドレス情報がグルーブウォブルの位相変調により記録された光ディスクにおいて、整数Ｍをウォブル波数としたときに、前記アドレス情報を１ビットＭウォブルを基本単位として構成し、かつ前記アドレス情報がＮＲＺ記録されるように構成する。このように、アドレス情報部において１ビットを複数ウォブルで構成し、かつＮＲＺ記録をすることで、アドレス情報部における位相変化点をより少なくすることが可能となる。それによって復調誤り率が良好になる効果がある。
【００８０】
（２）整数Ｎをウォブル波数とし、前記Ｍが２Ｎであるときに、前記アドレス情報の同期検出に用いる同期信号を１ビットＮウォブルを基本単位として構成し、このような構成の同期信号を前記アドレス情報の先頭側に記録する。このように、同期信号の１ビットあたりのウォブル数をアドレス情報部の半分にすることで、アドレス情報部の符号をラン長制限することなく、同期信号の構成及び検出が可能となる。
【００８１】
（３）前記同期信号が、前記アドレス情報に存在しない010または101の符号と、ラン長が1以上の符号とを含むように構成する。このように、同期信号にアドレス情報部に存在しない010もしくは101の符号を含ませることで、アドレス情報部内での同期信号の誤検出を防ぐことが可能になる。また、ラン長が1以上の符号を同期信号に含ませることで、復調後の２値データの極性を同期信号より検出することが可能となる。
【００８２】
（４）前記同期信号が、10001または01110の符号を必ず含むように構成する。このように、同期信号にアドレス情報部に存在しない10001もしくは01110の符号を含ませることで、アドレス情報部内での同期信号の誤検出を防ぐことが可能になる。また、同一符号長でみれば、10001、01110では010、101に比べ位相変化回数が少なくなるため、同期信号の検出率が良好となり、また極性の判別が可能となる。
【００８３】
（５）上記（２）の構成によって限定された信号パターンの中で、前記同期信号と、すべてのアドレス情報部の符号及び位相ずれした同期信号に対するハミング距離において最小となる距離が、前記限定された信号パターンの内で最も大きく、かつ同期信号内の位相変化回数が最小となるパターンでもって、前記同期信号を構成する。このようにパターンを選ぶことで、アドレス情報部内での誤検出及び同期信号の位相ずれ検出を防ぐことが可能になる。また、同期信号内の位相変化回数を最小とすることで、同期信号の検出率が良好となる効果がある。
【００８４】
＊同期信号の位相ずれ検出について
例えば同期信号が0101、隣接符号が11及び00で符号の極性が不明な場合、復調結果は11010100もしくは00101011の連続符号となる。このとき同期信号かどうかの判定は、0101（もしくは0101をビット反転した1010）が復調ビット列に含まれているかどうかで行なう。すると前者の復調結果（11010100）では正しく同期信号の検出ができるが、後者（00101011）では前者の復調結果よりも１ビット前の段階で同期信号を検出してしまう。これを位相ずれ検出という。
【００８５】
（６）上記（２）の構成によって限定された信号パターンの中で、前記同期信号と、すべてのアドレス情報部の符号及び位相ずれした同期信号に対するハミング距離において最小となる距離が、前記限定された信号パターンの内で最も大きく、もしくは次に大きく、かつ同期信号内の位相変化回数が最小となるパターンでもって、前記同期信号を構成する。このようにパターンを選ぶことで、アドレス情報部内での誤検出及び同期信号の位相ずれ検出を防ぐことが可能になる。また、同期信号内の位相変化回数を最小とすることで、同期信号の検出率が良好となる効果がある。
【００８６】
（７）前記同期信号のビット桁をＢＤとしたとき、この同期信号内の位相変化回数をＢＤ／３以下に抑えて前記同期信号を構成する。このように、同期信号内の最大位相変化回数を例えば１／３程度に制限することで、同期信号の検出率を良好とすることができる。
【００８７】
（８）前記アドレス情報に存在しない符号として、０または１が奇数回連続する符号が前記同期信号に含まれるように構成する。このように、アドレス情報部に存在しない符号であって、０または１が奇数回連続する符号を同期信号に用いることで、アドレス情報部内での同期信号の誤検出を防ぐことが可能になる。
【００８８】
（９）上記（１）〜（８）の光ディスクを用いる記録再生装置において、前記同期信号を検出するための専用検出回路を搭載して構成する。このように、同期信号検出用の検出回路（例えばマッチドフィルタ）をあらかじめ構成することで、２値復号された結果から同期信号の一致判定をするよりも、より確かに同期信号の検出をすることができる。
【００８９】
なお、この発明は前述した実施の形態に限定されるものではなく、この外その要旨を逸脱しない範囲で種々変形して実施することができる。
【００９０】
以上詳述したようにこの発明によれば、外来雑音が大きい場合でも（この発明を用いない場合との比較の上で）より確かに位相変調されたウォブル信号を復調できる。
【図面の簡単な説明】
【００９１】
【図１】この発明の一実施の形態に係る光ディスク記録再生装置の構成例を説明するブロック図。
【図２】図１のフォトディテクタ３０の具体例を説明する図。
【図３】この発明を適用できる記録再生可能な情報記録媒体としての光ディスク１０の概略構成を説明する図。
【図４】図３の光ディスク１０に形成されたトラックＴＫの拡大部分ＥＰの構造を例示する図。
【図５】例えば図３の光ディスク１０に形成されたトラックＴＫ（振幅Ｗｐｐのウォブルを持つウォブルトラックＷＴが、グルーブトラックＧＴおよびランドトラックＬＴとして設けられている例）上をレーザビームスポットＢＳが走行する状態を説明する図。
【図６】図５に例示されるようなビームスポット走行により、例えば図２の構成を持つフォトディテクタ３０から得られる和信号ＳＳおよび差信号ＤＳ（図５のウォブルに対応したラジアルプッシュプル信号）の波形例を示す図。
【図７】例えば図５のウォブルトラックＷＴ（図３ではトラックＴＫ）が、その記録情報（ビット０、１）に対応して周波数変調（ウォブル変調）されている場合の波形（ウォブル自体の波形）を例示する図。
【図８】例えば図５のウォブルトラックＷＴ（図３ではトラックＴＫ）が、その記録情報（ビット０、１）に対応して位相変調（ウォブル変調）されている場合の波形（ウォブル自体の波形）を例示する図。
【図９】例えば図３の光ディスク１０のデータ記録領域ＤＲＡの構成（セグメント化されたトラックＴＫ）を例示する図。
【図１０】例えば図８のウォブル変調によりウォブルトラックＷＴに記録される同期信号ＳＹＮＣおよびアドレス情報ＡＩの構成例（この例では図９の各セグメントＳＧに対応）を説明する図。
【図１１】例えば図８（あるいは図１４、図１６）のように位相変調されたウォブル信号からその記録情報（図１０の同期信号ＳＹＮＣを検出することで再生タイミングが求まるアドレス情報ＡＩに対応した、ビット０、１の列）を復調する復調回路の一例を説明する図。
【図１２】例えば図１１の復調回路に与えられたウォブル信号Ｓ１（搬送波Ｓ２とのタイミング合わせのために適宜遅延されている）とウォブルの搬送波Ｓ２との積から得られるウォブルの位相変化点（アドレスデータを得るための積分タイミング等を示す情報となる）を示す信号波形を説明する図。
【図１３】例えば図１１の復調回路に与えられたウォブル信号Ｓ１（搬送波Ｓ２とのタイミング合わせのために適宜遅延されている）とウォブルの搬送波Ｓ２との積から得られるウォブルの位相変化点（アドレスデータを得るための積分タイミング等を示す情報となる）を示す信号波形が、ＢＰＦを通すことにより曖昧になる（波形がなまる）様子を説明する図。
【図１４】位相変調されたウォブル信号からその記録情報（ビット０、１の列）を復調する際に、図１３の（ｃ）に例示されるように位相変化点でなまった信号波形の発生頻度を減らすべく、ウォブル記録にノン・リターン・ツー・ゼロ（ＮＲＺ）記録を用いた場合の、ウォブル信号波形を例示する図（この図の（ｂ）では“01101110”が記録された際に“11”のビット間および“111”のビット間で位相反転が起きていない様子を例示している）。
【図１５】ウォブル記録にＮＲＺ記録を用いた場合と、その記録にバイフェーズ記録を用いた場合とでエラーレートがどのくらい違うかの一例を示す図。
【図１６】位相変調を用いたウォブル記録にＮＲＺ記録を利用する場合において、アドレスデータ部におけるウォブル信号と符号との関係を例示するとともに、同期信号部におけるウォブル信号と符号との関係を例示する図。
【図１７】例えば図１６（あるいは図８、図１４）のように位相変調されたウォブル信号からその記録情報（図１０の同期信号ＳＹＮＣを検出することで再生タイミングが求まるアドレス情報ＡＩに対応した、ビット０、１の列）を復調する復調回路の他例を説明する図。
【図１８】図１７のアドレス検出器７３０の具体例を説明する図。
【図１９】図１８の同期信号検出器７３２０の具体例（マッチドフィルタ）を説明する図。
【図２０】図１０の同期信号およびアドレス情報を記録する際に用いるウォブル位相変調器の一例（図３または図９の光ディスクを製造するのに用いるマスタリング装置の要部）を説明する図。
【図２１】ハミング距離および位相変化回数に応じた同期信号パターン選択方法の一例を説明するフローチャート図。
【符号の説明】
【００９２】
１０…ウォブルを伴うグルーブが形成された記録再生可能な光ディスク；２０…光ヘッド（ＰＵＨ）のアクチュエータ；３０…フォトディテクタ（ＰＤ）；４０…プリアンプ；５０…サーボ回路；６０…高周波（ＲＦ）信号処理回路；７０…アドレス信号処理回路；８０…記録信号処理回路；９０…レーザダイオードドライバ（ＬＤＤ）；１００…コントローラ；７１０…バンドパスフィルタ（ＢＰＦ）；７１２…フェーズロックドループ（ＰＬＬ）；７１４…乗算器；７１６…ローパスフィルタ（ＬＰＦ）；７１８、７３１０…スライサ；７２０…クロック生成器；７２２、７３００…積分器；７３０…アドレス検出器；７３２０…同期信号検出器（マッチドフィルタ）；７３３０…アドレスデータ制御器；１０００…サーキュレータ（Ｃｒ）；１００２…ハイパスフィルタ（ＨＰＦ）；１００４…ダイオード（Ｄ）。
【図１】
2006164514.tif 000003
【図２】
2006164514.tif 000004
【図３】
2006164514.tif 000005
【図４】
2006164514.tif 000006
【図５】
2006164514.tif 000007
【図６】
2006164514.tif 000008
【図７】
2006164514.tif 000009
【図８】
2006164514.tif 000010
【図９】
2006164514.tif 000011
【図１０】
2006164514.tif 000012
【図１１】
2006164514.tif 000013
【図１２】
2006164514.tif 000014
【図１３】
2006164514.tif 000015
【図１４】
2006164514.tif 000016
【図１５】
2006164514.tif 000017
【図１６】
2006164514.tif 000018
【図１７】
2006164514.tif 000019
【図１８】
2006164514.tif 000020
【図１９】
2006164514.tif 000021
【図２０】
2006164514.tif 000022
【図２１】
2006164514.tif 000023